(57)【要約】【課題】筐体設置時に壁固定金具の長穴の位置を調整するためスペーサーなどの追加部材の増加や作業工数の増加によるコストアップや施工不良の原因となっていた。【解決手段】天面または側面をもつ略直方体の筐体と壁の間を固定する、長い一片と短い他片とを有したL字形状で、前記一片の水平方向に平行に延びる長穴を水平方向に二つ以上連続して設けられた長穴列が形成され、前記長穴列が等間隔に垂直移動した位置に四列形成された四列の前記長穴において、前記長穴列を水平方向に平行移動して、千鳥配置にしたことで、筐体設置時に筐体の位置が変わっても、距離調整のためにスペーサーなどの追加部材を挟んだり、特別な作業工数を増やさなくても確実に壁固定金具を固定することができる。【選択図】図５
2015052421.tif 000002
【特許請求の範囲】
【請求項１】
天面または側面を有した略直方体の筐体と壁の間を固定する、長い一片と短い他片とを有したL字形状で、前記一片の水平方向に平行に延びる複数の長穴が開口された壁固定金具において、前記長穴を水平方向に少なくとも二つ以上連続した長穴列を設け、前記長穴列を垂直方向に少なくとも二列以上連続させると共に、前記長穴列を交互に平行移動させて、前記長穴列を千鳥配置にしたことを特徴とする壁固定金具。
【発明の詳細な説明】
【技術分野】
【０００１】
本発明は、筐体と壁とを固定する壁固定金具の構造に関する。
【背景技術】
【０００２】
従来よりこの種の、たとえば貯湯式給湯機の筐体と壁を固定する壁固定金具はL字型の形状をしており、前記L字の長い部分には長手方向に延びる長穴が開口されている。そして、壁固定金具の短い部分と壁とをネジ等の固定具で固定し、前記壁固定金具の前記長穴を介して長い部分と前記筐体の側面または天面とを前記固定金具で固定するようにしているため、前記筐体設置時に前記筐体と壁との距離を適宜変更しても、長穴寸法分だけ前記固定具の螺着位置を変更することで確実に固定することができる。（特許文献１、２参照）
【０００３】
しかし、特許文献１、２の従来例では地震等の大きな揺れで前記固定具が緩んでしまったときに、前記固定具で固定しきれなくなった前記筐体が長穴寸法分の範囲を揺れてしまうため、揺れを抑制することはできなかった。特に貯湯式給湯機のような重量のあるものであった場合は前記筐体脚部に負担がかかり、脚部の変形などの破損をしてしまうという問題があった。
【０００４】
この問題を解消するため、図７のような地震等の揺れを抑制する壁固定金具が知られている。
【０００５】
この図７で示す従来例の壁固定金具について説明する。１００は略直方体状の筐体であり、例えば図示しない湯を貯湯する貯湯タンクを内側に備えた貯湯式給湯機の筐体、１０１は貯湯式給湯機の筐体１００を設置したときに隣り合う家屋等の壁、１０２は筐体１００の天面または側面と壁１０１とを固定するL字型の壁固定金具、１０３は壁固定金具１０２の長い方の一片にある長手方向に延びる長穴、１０４は筐体１００と壁固定金具１０２とを長穴１０３を介して螺着するネジ等の固定具である。
【０００６】
この壁固定金具１０２の前記一片には水平方向に延びる長穴１０３が四つ連続して設けられた長穴列１０３Aが形成され、この長穴列１０３Aが等間隔に垂直移動した位置に四列形成されている。このように長手方向に比較的短い長穴１０３を複数設けることで、地震等でネジ等の固定具１０４が緩んでしまったとき、ネジ等の固定具１０４が長穴寸法分揺れてしまうのを狭い範囲にとどめ、振れ幅を抑えることができた。
【先行技術文献】
【特許文献】
【０００７】
【特許文献１】特許第３７７００７９号公報
【特許文献２】特開平１０―３２３２４９号公報
【発明の概要】
【発明が解決しようとする課題】
【０００８】
ところが、図７で示した従来の壁固定金具１０２では、１つの長穴列１０３Aの隣り合う長穴１０３間の閉口部位と筐体１００のネジ穴とが重なってしまうと、ネジ等の固定具１０４のネジ止めが出来なくなるため、そのときには壁面にスペーサー等を噛ますなど壁固定金具１０２の位置を調整する必要がある。そのため、スペーサー等の部材追加によるコストアップや作業工数の増加によるコストアップの原因となっていた。
【課題を解決するための手段】
【０００９】
本発明は上記課題を解決するため、天面または側面をもつ略直方体の筐体と壁の間を固定する、長い一片と短い他片とを有したL字形状で、前記一片の水平方向に平行に延びる長穴を水平方向に二つ以上連続して設けられた長穴列が形成され、前記長穴列が等間隔に垂直移動した位置に四列形成された四列の前記長穴において、前記長穴列を水平方向に平行移動して、千鳥配置にした。
【発明の効果】
【００１０】
本発明によれば、地震等の大きな揺れで前記固定具が緩んでしまったときに、前記固定具で固定しきれなくなった前記筐体が長穴寸法分の範囲を揺れてしまうため、揺れを抑制することはできなかったが長穴の範囲を狭くすることで、振幅を抑えることができると共に、筐体設置時に壁固定金具を取り付ける際に前記壁固定金具を適切な位置に取り付けるためにスペーサーなどの追加部材を挟むことでおきる余計な部材追加のコストアップや作業工数のコストアップがなくなる。
【図面の簡単な説明】
【００１１】
【図１】本発明の実施形態の使用状態を説明する図
【図２】本発明の実施形態の壁固定金具の斜視図
【図３】本発明の実施形態の壁固定金具の要部拡大正面の説明図
【図４】本発明の実施形態の壁固定金具の正面図
【図５】本発明の実施形態の使用状態における要部拡大説明図
【図６】本発明の実施形態の使用状態における要部拡大説明図
【図７】従来の実施形態の壁固定金具の正面図
【発明を実施するための形態】
【００１２】
次に、本発明の実施形態の筐体と壁とを固定する壁固定金具の構成について図面にもとづいて説明する。
図１は筐体と壁を側面から見た図である。１は略直方体形状の筐体であり、例えば図示しない湯を貯湯する貯湯タンクを内側に備えた貯湯式給湯機の筐体である。２は貯湯式給湯機の筐体１を支えると共に図示しないアンカーボルトによって設置面に固定される脚部である。３は貯湯式給湯機の筐体１を設置したときの隣り合う家屋等の壁である。４は貯湯式給湯機の筐体１の側面または天面と壁３を固定するL字型の壁固定金具、５は貯湯式給湯機の筐体１と前記L字型の壁固定金具４とを螺着したネジ等の固定具である。
【００１３】
図２で示すように、壁固定金具４は、貯湯式給湯機の筐体１と固定される長い一片４ａと、壁３と固定される短い他片４bとを有したL字状をしており、壁固定間具４の長い一片４ａには水平方向に延びる長穴６が四つ連続して設けられた長穴列６ａが形成され、この長穴列６ａが等間隔に垂直移動した位置に四列形成されている。この四列の長穴列をそれぞれ長穴列６ａ、長穴列６b、長穴列６c、長穴列６dとする。
【００１４】
図３で示すように長穴６の形状や配置について説明する。上の長穴列６ａと下の長穴列６ｂとは約長穴１個分だけ水平方向にずらして配置されているもので、上の長穴列６ａの長穴間の閉口部位の水平方向の中心線と、下の長穴列６ｂの長穴の水平方向の中心線とが重なるようにしていると共に上の長穴列６ａの長穴の端部の垂線と下の長穴列６ｂの長穴６の端部の垂線との線間距離がネジ等の固定具５の直径程度になるようにしている。長穴列６ｃは長穴列６ａを垂直方向にずらした長穴列であり、長穴列６ｃと長穴列６ｄの位置関係は長穴列6aと長穴列６ｂの位置関係と等しくしている。このような位置に配置することにより長穴列６ａ、長穴列６ｂ、長穴列６ｃ、長穴列６ｄは千鳥配置となる。
【００１５】
そして、すべての長穴６の大きさは等しくすると共に、各長穴列６ａ、長穴列６ｂ、長穴列６ｃ、長穴列６ｄは垂直方向に等間隔で配置するようにしている。
【００１６】
図４で示すように、筐体１の上部側面または上面には壁固定金具４の長穴６に対応する位置にネジ等の固定穴７が設けられている。このネジ等の固定穴７を垂直方向連続して並び、にそれぞれ四列の長穴列同士の間隔と同じ距離を置き四箇所開口され、上から７ａ、７b、７c、７dとする。
【００１７】
次に、図５の設置現場の場合の壁固定金具４の取り付け方法について説明すると、この場合は壁固定金具４の長穴列６ａ、６ｃの左から二番目の長穴６からはネジ等の固定穴７ａ、７ｃが見えるが、長穴列６ｂ、６ｄからはネジ等の固定穴７ｂ、７ｄが隣り合う長穴６の閉口部位に隠れて見えない。このため、壁固定金具４の長穴列６ａ、６ｃに対応したネジ等の固定穴７ａ、７ｃにネジ等の固定具５ネジ止めすることで筐体１と壁３とを確実に固定することができる。
【００１８】
また、図６の別の設置現場の壁固定金具４の取り付け方法について説明すると、この場合は壁固定金具４の長穴列６ａ、６ｃの長穴６からはネジ等の固定穴７ａ、７ｃが隣り合う長穴６の閉口部位に隠れて見えないが、長穴列６ｂ、６ｄの左から四番目の長穴６からはネジ等の固定穴７ｂ、７ｄが見える。このため、壁固定金具４の長穴列６ｂ、６ｄに対応したネジ等の固定具７ｂ、７ｄにネジ等の固定具５をネジ止めすることで筐体１と壁とを確実に固定することができる。
【００１９】
このように壁固定金具４の長穴列６ａ、６ｂ、６ｃ、６ｄは千鳥配置となっているので、ある長穴列が隣り合う長穴間の閉口部位と筐体１のネジ等の固定穴７とが重なって、筐体１と壁固定金具４とをネジ止めできなくなってしまっても、別の長穴列からは筐体１の固定穴が露出するので、壁３との距離が変わっても、距離調整のためにスペーサーなどの追加部材を挟んだり、特別な作業工数を増やさなくても確実に固定することができる。
【００２０】
そして、二つの長穴列６ａ６ｃ、６ｂ６ｄどちらの長穴６も従来の長穴よりも短いことから地震等の揺れで長穴６に螺着されたネジ等の固定具５が緩んで長穴寸法分スライドしてしまったとしても、スライドする範囲を比較的狭くし、振れ幅を抑えることができる。
【００２１】
なお、本発明は実施形態に限定されるものではなく、要旨を変更しない範囲で改変することを妨げるものではなく、例えば、長穴の数は縦横四列の長穴に限定されるものではなく、縦横二列以上の長穴のものなら良く、すべての長穴の大きさも必ずしも等しいものでなくても良いものである。
【００２２】
また、今回の筐体は貯湯式給湯機を例にあげたが、他にも天面及び側面を有した電気温水器や温水ボイラ等でも良いものである。
【符号の説明】
【００２３】
１    筐体
３    壁
４    壁固定金具
４ａ  壁固定金具の一片
５    ネジ等の固定具
６    長穴
６ａ  一列目の長穴列
６ｂ  二列目の長穴列
６ｃ  三列目の長穴列
６ｄ  四列目の長穴列
７    ネジ等の固定穴
【図１】
2015052421.tif 000003
【図２】
2015052421.tif 000004
【図３】
2015052421.tif 000005
【図４】
2015052421.tif 000006
【図５】
2015052421.tif 000007
【図６】
2015052421.tif 000008
【図７】
2015052421.tif 000009